(57)【要約】      （修正有）【課題】トラックにおける走行面に大きな隙間が表出することを防止して、走行面に沿った搬送対象物のスムーズな搬送を実現し、搬送処理能力の低下を伴うことなく選別処理能力の向上を図ることが可能な表裏姿勢選別装置。【解決手段】角部Ｗ３を有する面を上向き面にした異常搬送姿勢で搬送されるワークＷの角部Ｗ３を走行面Ｔ３１の上方から照射し、且つ角部Ｗ３で反射した光を検知可能な光センサＸ１と、ワークＷを走行面Ｔ３１から排除し得る排除部Ｘ２とを備えた表裏姿勢選別装置Ｘであり、光センサＸ１が検知した反射光量によって、ワークＷが角部Ｗ３を有する面を下向き面にした正常搬送姿勢であるか、角部Ｗ３を有する面を上向き面にした異常搬送姿勢であるかを判定し、異常搬送姿勢で搬送されるワークＷを排除部Ｘ２によって走行面Ｔ３１から排除する。【選択図】図４
2011184160.tif 000002
【特許請求の範囲】
【請求項１】
搬送対象物を走行面上で搬送するトラックを備えたパーツフィーダに適用され、前記トラックにおける前記走行面に沿って搬送され且つ光線に対する正規の反射領域が設定された搬送対象物の姿勢を選別する姿勢選別装置であって、
前記搬送対象物のうち前記正規の反射領域が設定された位置に向かって前記走行面に対峙する位置から光線を照射可能な照射部と、
前記正規の反射領域で反射した前記光線を検知可能な位置であって且つ前記走行面に対峙する位置に設けられる反射光検知部とを具備してなり、
前記反射光検知部が反射光を検知するか否か、又は前記反射光検知部が検知した反射光量によって、前記搬送対象物が正しい姿勢にあるか否かを選別するように構成したことを特徴とする姿勢選別装置。
【請求項２】
前記搬送対象物を前記走行面から排除する排除部をさらに備え、正しい姿勢ではない姿勢で搬送される前記搬送対象物を前記排除部によって前記走行面から排除し得るように前記反射光検知部と前記排除部とを同期させている請求項１に記載の姿勢選別装置。
【請求項３】
搬送対象物を走行面上で搬送するトラックと、請求項１又は２に記載の姿勢選別装置とを備えたものであることを特徴とするパーツフィーダ。
【発明の詳細な説明】
【技術分野】
【０００１】
本発明は、パーツフィーダにおけるトラックに搬送される搬送対象物の姿勢を選別する姿勢選別装置、及びパーツフィーダに関するものである。
【背景技術】
【０００２】
従来より、螺旋状又は直線状をなすトラックに沿ってワーク等の搬送対象物を搬送させるパーツフィーダとして、トラックにおける走行面に沿って搬送される搬送対象物の姿勢を揃えて次工程へ搬送すべく、搬送対象物の姿勢を選別する装置を備えたものが知られている（例えば特許文献１参照）。
【０００３】
特に、搬送対象物の何れか１つの面のみが凹部又は凸部或いは凹凸部によって形成される角部を有するものである場合、このような搬送対象物の搬送姿勢を選別することが要求される。このような要求に応えるべく、トラックにおける走行面に切欠部を搬送方向に沿って所定ピッチで形成し、切欠部を形成した部分を他の走行面よりも幅が狭い選別領域とし、搬送対象物の重心が選別領域から外れるか否かによって搬送対象物の姿勢を選別する態様（以下、第１従来例と称する）や、トラックにおける走行面に開口部を形成し、この開口部から走行面に沿って搬送される搬送対象物に対して照射し、反射光の受光量によって搬送対象物の姿勢を選別する態様（例えば特許文献１参照、以下、第２従来例と称する）が考えられている。
【先行技術文献】
【特許文献】
【０００４】
【特許文献１】特開２００４−５１２８０号公報
【発明の開示】
【発明が解決しようとする課題】
【０００５】
ところが、上述の第１従来例は、正常搬送姿勢で搬送される搬送対象物であっても走行面に形成した切欠部に引っ掛かるおそれがあり、引っ掛かった搬送対象物に後続の搬送対象物がぶつかった場合には、搬送対象物の向き（姿勢）が変わったり、走行面からこぼれ落ちるなどして、選別処理能力の低下を招来し得る。
【０００６】
また、上述の第２従来例は、走行面に照射用の開口部を形成しなければならないため、この開口部にゴミや埃が付着した場合には適切な姿勢選別を行うことができず、また開口部の開口寸法が大きければ大きいほど、正常搬送姿勢で搬送される搬送対象物であってもこの開口部に引っ掛かる等、上述した第１従来例と同様の不具合が生じ得る。
【０００７】
本発明は、このような課題に着目してなされたものであって、主たる目的は、トラックにおける走行面に大きな隙間が表出することを防止して、走行面に沿った搬送対象物のスムーズな搬送を実現し、搬送処理能力の低下を伴うことなく選別処理能力の向上を図ることが可能な搬送対象物の姿勢選別装置、及びこのような姿勢選別装置を備えたパーツフィーダを提供することにある。
【課題を解決するための手段】
【０００８】
すなわち、本発明の姿勢選別装置は、搬送対象物を走行面上で搬送するトラックを備えたパーツフィーダに適用され、搬送対象物の姿勢を選別するものである。ここで、搬送対象物の姿勢とは、走行面上での搬送対象物の表裏の向きや、走行面内での方向性（長手方向が搬送方向と平行か直交しているか等）を意味する。そして、トラックにおける走行面に沿って搬送される搬送対象物は、光線に対する正規の反射領域が設定されたものであり、このような搬送対象物の姿勢を選別する本発明に係る搬送対象物の姿勢選別装置は、搬送対象物のうち予め設定された正規の反射領域に向かって走行面に対峙する位置から光線を照射可能な照射部と、正規の反射領域で反射した光線を検知可能な位置であって且つ走行面に対峙する位置に設けられる反射光検知部とを備えてなり、反射光検知部が反射光を検知するか否か、又は反射光検知部が検知した反射光量によって、搬送対象物が正しい姿勢にあるか否かを選別するように構成したことを特徴としている。
【０００９】
ここで、「正規の反射領域」とは、照射部からの照射光を反射させることを意図して設定されている領域であり、他の領域とは反射の仕方（反射する方向や、鏡面反射（正反射）か拡散反射（乱反射）かの違い、或いは拡散反射の場合には反射光の拡散度合い等）が異なる領域を意味する。「正規の反射領域」としては、二つ以上の面から構成される角部（凹部、凸部、凹凸部）や、面（平面、曲面何れも含む）、搬送対象物の表面（外向き面、内向き面の何れも含む）上の点、或いは搬送が挙げられる。また、「正規の反射領域」は、照射部から照射される光線の向き及び反射光検知部に対して光線を反射させる向きとの関係で搬送対象物の何れかの部位（表面上）に設定されるものであり、照射部からの光線の向き（照射する向き）と、搬送対象物の形状とによって決まるものであるともいえる。搬送対象物には少なくとも１以上の正規の反射領域があればよい。なお、搬送対象物の表面に、正規の反射領域以外にも照射部からの照射光が反射可能な領域が形成されている場合、本発明ではこのような領域（照射部からの照射光を反射させることを意図していない領域）は「正規の反射領域」とは異なる反射領域として捉えることができる。また、搬送対象物の姿勢が正しいか否かは、搬送対象物の種類や形状等に基づいて予め決定しておけばよい。例えば、搬送対象物に照射した光線の反射光を受光しなければ正しい姿勢、受光すれば誤った姿勢であるとしたり、受光量（反射光量）が一定値に満たなければ正しい姿勢、一定値以上であれば誤った姿勢とする等、適宜に設定することができる。
【００１０】
ここで、「走行面に対峙する位置」とは、「走行面から離間して走行面と向き合う位置」を意味する。走行面に対峙する位置に配置される照射部及び反射光検知部は、相互に独立した別体のものであってもよく、照射機能及び受光機能を備えた単一の機器によって構成してもよい。照射部及び反射光検知部を相互に独立した別体のもので構成した場合、照射部と反射光検知部との設置箇所を別々に設定することもできる。走行面に対峙する位置は、走行面の上方や斜め上方は勿論のこと、走行面の側方や斜め下方、或いは搬送対象物の落下等の支障が生じない範囲で走行面を下向きに設定している場合、走行面に対峙する位置は走行面の下方を意味する。
【００１１】
本発明の姿勢選別装置は、照射部及び反射光検知部を走行面に対峙する位置に配置して、反射光検知部が反射光を検知するか否か、又は反射光検知部が検知した反射光量の大小によって、搬送対象物が正しい姿勢であるか否かを選別するように構成しているため、従来例として挙げたトラックの走行面に切欠部を所定ピッチで形成する態様や走行面に照射用の開口部を形成する態様と比較して、走行面に生じる隙間の領域を形成せずにすむか小さくすることができるので、走行面に沿って搬送される搬送対象物が引っ掛かる、或いは詰まるといった事態を回避又は抑制することができ、搬送対象物をスムーズに搬送しながら選別処理を的確に行うことができる。また、このような搬送対象物の引っ掛かり等が生じ難い構造であるため、搬送対象物の搬送速度を比較的速く設定することも可能であり、選別処理能力の低下を招来することなく搬送処理能力を効果的に向上させることができる。
【００１２】
そして、正しい姿勢か否かを選別し、所望の正しい姿勢で搬送される搬送対象物のみを搬送方向に沿った下流側へ搬送できるようにするためには、姿勢選別装置に、搬送対象物を走行面から排除する排除部を設け、正しくない姿勢で搬送される搬送対象物のみを排除部によって走行面から排除し得るように反射光検知部と排除部とを同期させればよい。
【００１３】
また、本発明に係るパーツフィーダは、搬送対象物を走行面上で搬送するトラックと、上述した構成をなす姿勢選別装置とを備えたものである。このようなものであれば、上述した種々の作用効果を発揮し、実用性に優れたパーツフィーダとなる。
【発明の効果】
【００１４】
本発明の姿勢選別装置及びパーツフィーダによれば、走行面に沿って搬送される搬送対象物の姿勢を適切に選別することができるとともに、トラックにおける走行面に大きな隙間が表出することを防止して、走行面に沿った搬送対象物のスムーズな搬送を実現することができる。
【図面の簡単な説明】
【００１５】
【図１】本発明の一実施形態に係る姿勢選別装置を備えたパーツフィーダの平面図。
【図２】図１の要部拡大図。
【図３】図２におけるａ−ａ線断面の模式図。
【図４】図３の要部拡大図。
【図５】同実施形態に係る姿勢選別装置の全体構成模式図。
【図６】同実施形態に係る姿勢選別装置の作用説明図。
【図７】同実施形態における第２表裏姿勢選別装置を図４に対応して示す図。
【図８】同実施形態に係る姿勢選別装置によって選別されるワークの全体概略図。
【図９】図８のＡ方向から見たワークの平面形状。
【図１０】図８のＢ方向から見たワークの平面形状。
【図１１】同実施形態に係る姿勢選別装置によって選別可能なワークの一変形例の全体概略図。
【図１２】図１１のＡ方向から見たワークの平面形状。
【図１３】図１１のＢ方向から見たワークの平面形状。
【図１４】同ワークを適用した場合の図４対応図。
【図１５】同ワークを適用した場合の図６対応図。
【図１６】同実施形態に係る姿勢選別装置によって選別可能なワークのさらに異なる一変形例の全体概略図。
【発明を実施するための形態】
【００１６】
以下、本発明の一実施形態を、図面を参照して説明する。
【００１７】
本実施形態に係る姿勢選別装置Ｘは、図１に示すように、本実施形態における印刷対象物たるワークＷ（図８参照）を搬送可能なパーツフィーダＰに適用されるものであり、パーツフィーダＰ内で搬送されるワークＷの向きを揃えるために、正方向を向くワークＷ（以下、正常搬送姿勢のワークＷと称する）と、正方向とは異なる方向（異方向）を向くワークＷ（以下、異常搬送姿勢のワークＷと称する）とを選別する装置である。特に本実施形態に係る姿勢選別装置Ｘは、ワークＷの表裏姿勢、つまり、表面と裏面とのどちらを上向き面とした姿勢であるかを揃えるべく、正常搬送姿勢のワークＷと異常搬送姿勢のワークＷとを選別する表裏姿勢選別装置である。
【００１８】
本実施形態において選別対象（搬送対象）となるワークＷは、例えば他の電子部品のカバーとして使用可能な微少サイズのものであり、図８に示すように、一方向にのみ開口した概略箱状をなすものである。具体的には、中空の直方体を構成する六面のうち一つの面を開口した概略形状をなし、開口した面に対向する矩形状のカバー本体面Ｗ１と、このカバー本体面Ｗ１の各辺から当該面（カバー本体面Ｗ１）に対して直角ないし略直角に立ち上がる側面Ｗ２とを一体に有するワークＷである。また、カバー本体面Ｗ１及び側面Ｗ２はそれぞれ平滑な面である。このようなワークＷは、カバー本体面Ｗ１を表面とした場合、表面は平滑な面である一方、裏面には凹部が形成されている。したがって、図８におけるＡ方向矢視図である図９、及び図８におけるＢ方向矢視図である図１０に示すように、表面（カバー本体面Ｗ１）を上向き面とした姿勢である表向き姿勢（図１０）と、表面（カバー本体面Ｗ１）を下向き面とした姿勢である裏向き姿勢（図９）とでは平面視形状が異なる。すなわち、表向き姿勢におけるワークＷの平面形状は平滑な面のみで構成される一方、裏向き姿勢におけるワークＷの平面形状には、カバー本体面Ｗ１と側面Ｗ２との境界である角部Ｗ３が現れる（図１０参照）。つまり、裏向き姿勢にあるワークＷは、角部Ｗ３を上方に向けた姿勢である。ここで、角部Ｗ３が本発明の「正規の反射領域」に相当する。本実施形態では、表向き姿勢を正常搬送姿勢とし、裏向き姿勢を異常搬送姿勢とし、表裏姿勢選別装置Ｘによって正常搬送姿勢のワークＷと異常搬送姿勢のワークＷとを選別するようにしている。なお、本実施形態においては、円型ないし楕円型振動パーツフィーダＰに表裏姿勢選別装置Ｘを適用した例について説明する。
【００１９】
パーツフィーダＰは、円型ないし楕円型の捩じり振動パーツフィーダとして構成されており、ワークＷを収容し整列させて搬送する（整送する）ボウルＰ１と、ボウルＰ１の下方に配置されボウルＰ１に振動を発生させる振動付与部（図示省略）とを備えている。
【００２０】
ボウルＰ１は、周壁における内向面に設けたスパイラル状に延びる搬送路を備え、振動付与部から与えられる振動によりワークＷを搬送路に沿って搬送するものである。振動付与部は、ボウルＰ１の下方に配置された例えば圧電式発振タイプのものである。もちろん、振動付与部として電磁式発振タイプのものを適用してもよい。本実施形態のパーツフィーダＰは、図示しないステージ上に適宜の防振部を介在させた状態で振動付与部を配置している。そして、ワークＷ（図１、２参照）をその姿勢を整えつつ搬送するために、ボウルＰ１に対して高い振動数の捩じり振動を発生させる。これにより、ボウルＰ１内に収納されたワークＷは、搬送路を構成するトラックＴ１，Ｔ２，Ｔ３，Ｔ４等の複数のトラックに沿って、平面視反時計廻りに搬送されることになる。
【００２１】
ボウルＰ１には、底面Ｐ１１に多数のワークＷが収容され、底面Ｐ１１の周縁部に起点Ｔ１ｓを有し径外方へ向かって若干下向き傾斜に設けられる下向き傾斜トラックＴ１が、周壁Ｐ１２に沿い登り傾斜のスパイラル状に形成されている。そして、この下向き傾斜トラックＴ１がワークＷの搬送路の一部を担い、ワークＷが受ける捩じり振動による搬送力の径外方向へ向かう成分と下向き傾斜トラックＴ１に付与した傾斜とによって、ワークＷは周壁Ｐ１２に接しながら搬送される。下向き傾斜トラックＴ１の途中には下向き傾斜トラックＴ１の幅を狭める切欠部Ｔ１１や溝Ｔ１２が形成されており、これら切欠部Ｔ１１や溝Ｔ１２によって下向き傾斜トラックＴ１上を幅一杯に広がって搬送されるワークＷのうち内周側のワークＷや、重心が下向き傾斜トラックＴ１上から外れたワークＷを底面Ｐ１１へ戻し、下向き傾斜トラックＴ１上を幅一杯に広がって搬送されるワークＷのうち外周側のワークＷや、重心が下向き傾斜トラックＴ１上にあるワークＷを下流側に搬送することができるようにしている。また、下向き傾斜トラックＴ１の途中には、早出しゲートＧが設けられている。この早出しゲートＧは、定常時には使用されず、作業終了時等に底面Ｐ１１に残るワークＷを早く取り出すためのものである。早出しゲートＧの下流側には、略Ｖ字型の走行面を有する整列用トラックＴ２が形成されており、この整列用のトラックＴ２にて、ワークＷは、その長手方向と搬送方向とが一致するように向きを整えられてさらに下流側へと搬送される。
【００２２】
整列用トラックＴ２の下流側には、ワークＷが表向き姿勢であるか裏向き姿勢であるかを判定するとともに、所望の姿勢（本実施形態では表向き姿勢）でない状態のワークＷを排除する表裏姿勢選別用のトラックＴ３（以下、「表裏姿勢選別トラックＴ３」と称する）を設けている。
【００２３】
この表裏姿勢選別トラックＴ３は、図３〜図５に示すように、走行面Ｔ３１を有するブロック状のものである。走行面Ｔ３１は、断面視ほぼＶ字状をなすように下端同士をほぼ直角に交差させた第１走行面Ｔ３１１及び第２走行面Ｔ３１２からなり、相対的にボウルＰ１の外周側に位置付けられる第１走行面Ｔ３１１の高さ寸法を、ボウルＰ１の内周側に位置付けられる第２走行面Ｔ３１２よりも大きく設定している。そして、これら第１走行面Ｔ３１１及び第２走行面Ｔ３１２がワークＷの搬送路の一部を担い、ワークＷが受ける捩じり振動による搬送力の径外方向へ向かう成分と第１走行面Ｔ３１１及び第２走行面Ｔ３１２に付与された傾斜とによって、ワークＷはカバー本体面Ｗ１（表面）またはカバー本体面Ｗ１と対向する開口面（裏面）を第１走行面Ｔ３１１に対面させ、側面Ｗ２を第２走行面Ｔ３１２に対面させた状態で、これら第１走行面Ｔ３１１及び第２走行面Ｔ３１２に接しながら搬送される。本実施形態に係る表裏姿勢選別装置Ｘは、この表裏姿勢選別トラックＴ３に関連付けてパーツフィーダＰに設けたものである。
【００２４】
表裏姿勢選別装置Ｘは、表裏姿勢選別トラックＴ３の走行面Ｔ３１上を搬送するワークＷのうち、その搬送姿勢が第２走行面Ｔ３１２にカバー本体面Ｗ１と対向する開口面（裏面）を対面させた姿勢、つまりカバー本体面Ｗ１（表面）を上向き面とした表向き姿勢である通常搬送姿勢をとるワークＷはさらに下流側への搬送を許容する一方、搬送姿勢が第２走行面Ｔ３１２にカバー本体面Ｗ１（表面）を接触させた姿勢、つまりカバー本体面Ｗ１（表面）を下向き面として角部Ｗ３（正規の反射領域）を上方ないし斜め上方に向けた裏向き姿勢である異常搬送姿勢をとるワークＷは走行面Ｔ３１から排除して、ワークＷの搬送姿勢（表裏姿勢）を揃えるものである。この表裏姿勢選別装置Ｘは、図４及び図５に示すように、異常搬送姿勢（裏向き姿勢）で搬送されるワークＷの角部Ｗ３に向かって走行面Ｔ３１の上方であって且つ走行面Ｔ３１に対峙する位置から光線を照射可能な照射部及び角部Ｗ３で反射した光を検知可能な反射光検知部として機能する光センサＸ１と、異常搬送姿勢のワークＷを表裏姿勢選別トラックＴ３から排除する排除部Ｘ２とを備えたものである。
【００２５】
光センサＸ１は、例えば前記照射部としての機能を担う発光素子と前記反射光検知部としての機能を担う受光素子とを備えるファイバーセンサとして構成されており、表裏姿勢選別トラックＴ３の上方に設けられている。この光センサＸ１は、光センササポート部Ｘ３によって表裏姿勢選別トラックＴ３の上方に支持されている。本実施形態では、光センササポート部Ｘ３を、ボウルＰ１の周縁部に取り付けた固定ブロックＸ３１と、この固定ブロックＸ３１上に取り付けた支柱部Ｘ３２と、支柱部Ｘ３２の上端部に取り付けられ光センサＸ１を保持可能な光センサ保持部Ｘ３３とを用いて構成している。光センサ保持部Ｘ３３は、光センサＸ１の胴部Ｘ１１が嵌まり込む嵌合溝Ｘ３３１ａを形成した保持部本体Ｘ３３１と、保持部本体Ｘ３３１との間で光センサＸ１の胴部Ｘ１１を挟持し得る押さえ板Ｘ３３２とを備え、嵌合溝Ｘ３３１ａに光センサＸ１の胴部Ｘ１１に嵌め込んだ状態で、押さえ板Ｘ３３２をボルトＸ３３３で光センサ保持部Ｘ３３側に押圧して固定することによって光センサＸ１を脱落不能に保持するものである。光センサＸ１からは、図４に示すように、表裏姿勢選別トラックＴ３の走行面Ｔ３１上を裏向き姿勢で搬送されるワークＷの角部Ｗ３を照射可能な例えばスポット径１．５ｍｍの光線が照射される。なお、光センサ保持部Ｘ３３を支柱部Ｘ３２に対して鉛直面方向或いは水平面方向に回転移動可能に構成したり、光センサ保持部Ｘ３３を支柱部Ｘ３２に対して所定方向に沿ってスライド移動可能に構成しておくことにより、ワークＷに対する光センサＸ１の光照射位置や反射光検知位置をワークＷの形状や種類に応じて調整することができる。図４及び後述する図６では、光センサＸ１からの照射光Ｌ１、及び搬送対象物Ｗからの反射光Ｌ２をそれぞれ鎖線で模式的に示している。
【００２６】
排除部Ｘ２は、図３及び図４に示すように、第１走行面Ｔ３１１に対して略直交するように穿設された小径のエアー噴出孔Ｘ２１と、一端部をエアー噴出孔Ｘ２１に連通するエアー供給経路Ｘ２２と、エアー供給経路Ｘ２２の他端部に接続した圧縮空気配管のエアー継手Ｘ２３とを備えたものである。エアー継手Ｘ２３はエアー供給経路Ｘ２２の他端部に螺合して接続されている。なお、本実施形態では、図２に示すように、エアー噴出孔Ｘ２１を光センサＸ１の光照射位置の近傍であって且つ光照射位置よりもワークＷの搬送方向に沿って下流側に形成しているため、後述するように、排除指令に基づきワークＷを吹き飛ばす必要がある場合に、表裏姿勢の判定後速やかにエアー噴出孔Ｘ２１から噴出される空気によって当該ワークＷをボウルＰ１の内周側へ吹き落として排除することができるようにしている。
【００２７】
また、本実施形態に係る表裏姿勢選別装置Ｘは、図５に示すように、光センサＸ１によって検知した反射光（受信信号）の検知結果（受信結果）に基づいてワークＷの表裏姿勢を判定し、所望の表裏姿勢でない場合にワークＷの排除指令を発する制御部Ｘ４を備えている。本実施形態では、制御部Ｘ４を、ワークＷに反射して光センサＸ１で受信した受信信号に基づいて、その信号レベル（反射光量）に応じて、ワークＷの表裏姿勢を判定する判定部Ｘ４１と、判定部Ｘ４１によって所望の表裏姿勢でないと判定した場合にワークＷの排除指令を発する排除命令出力部Ｘ４２とを用いて構成している。判定部Ｘ４１は、光センサＸ１で受信した受光信号が予め設定した基準値より高い信号レベル（反射光量）を示す場合には、ワークＷが裏向き姿勢であると判定し、光センサＸ１で受光信号が受信されなかったり（反射光量がゼロ）、或いは受信した受光信号が予め設定した基準値より低い信号レベル（反射光量）を示す場合には、ワークＷが表向き姿勢であると判定する。また、排除命令出力部Ｘ４２は、判定部Ｘ４１によってワークＷが裏向き姿勢であると判定した場合、制御部Ｘ４及び排除部Ｘ２に接続された電磁弁Ｘ５に対して、当該ワークＷの排除指令を出力するものである。
【００２８】
次に、このような表裏姿勢選別装置Ｘの作動及び作用について説明する。
【００２９】
表裏姿勢選別トラックＴ３の走行面Ｔ３１に沿って搬送されるワークＷが図６に示す正常搬送姿勢である場合、このワークＷに対して光センサＸ１から照射光を当てた場合、その照射光は、カバー本体面Ｗ１における平坦部分で反射し、光センサＸ１はその反射光を検知することが不可能であったり、あるいは所定の基準値よりも低い反射光量を検知する。一方、ワークＷが図４に示す異常搬送姿勢をとる場合、このワークＷに対して光センサＸ１から照射光を当てた場合、その照射光は、カバー本体面Ｗ１と側面Ｗ２との境界部分である角部Ｗ３で反射し、光センサＸ１はその反射光を検知する。
【００３０】
そして、制御部Ｘ４における判定部Ｘ４１により、光センサＸ１で受信した受光信号に基づき、その受光信号が予め設定した基準値より低い信号レベル（反射光量）を示す場合には、ワークＷが表向き姿勢、すなわち正常搬送姿勢であると判定し、光センサＸ１で受信した受光信号が予め設定した基準値より高い信号レベル（反射光量）を示す場合には、ワークＷが裏向き姿勢、すなわち異常搬送姿勢であると判定する。判定部Ｘ４１によってワークＷが異常搬送姿勢であると判定した場合、排除命令出力部Ｘ４２は、電磁弁Ｘ５に対して当該ワークＷの排除指令を出力する。このワークＷの排除指令は、排除部Ｘ２のエアー供給経路Ｘ２２を開放／遮断に切換可能な電磁弁Ｘ５に対して一時的なバルブ開放指令として発せられる。つまり、この排除指令によって、電磁弁Ｘ５が一時的に励磁されてエアー供給経路Ｘ２２を一時的（瞬時的）に開放し、圧縮空気をエアー供給経路Ｘ２２及びエアー噴出孔Ｘ２１へと供給する。その結果、エアー噴出孔Ｘ２１から噴出する圧縮空気によって異常搬送姿勢のワークＷを表裏姿勢選別トラックＴ３外へ吹き飛ばし、ボウルＰ１内へ落とす。表裏姿勢選別装置Ｘは、以上の処理により、所望の表裏姿勢ではないワークＷ、つまり異常搬送姿勢のワークＷのみをボウルＰ１の内周側へ吹き落として、表裏姿勢の選別を行い、正常搬送姿勢のワークＷのみを下流側（次工程）へ搬送することができる。
【００３１】
このように、本実施形態に係る表裏姿勢選別装置Ｘは、表裏選別トラックＴ３の上方から異常搬送姿勢をとるワークＷのうち本発明の「正規の反射領域」に相当する角部Ｗ３を照射し、光センサＸ１で反射光を検知するか否か、又は光センサＸ１で検知したその反射光量によって、ワークＷが正常搬送姿勢であるか異常搬送姿勢であるかを選別するように構成しているため、従来例として挙げたトラックの走行面に切欠部を櫛歯状に形成する態様や走行面に照射用の開口部を形成する態様と比較して、ワークＷの姿勢を選別するために走行面に切欠部や開口部を形成する必要がなく、走行面Ｔ３１に沿って搬送されるワークＷが切欠部や開口部に引っ掛かる、或いは詰まるといった事態を回避又は抑制することができ、ワークＷをスムーズに搬送しながら選別処理を的確に行うことができる。また、このようなワークＷの引っ掛かり等が生じ難い構造であるため、ワークＷの搬送速度を比較的速く設定することも可能であり、選別処理能力の低下を招来することなく搬送処理能力を効果的に向上させることができる。
【００３２】
特に、本実施形態に係る表裏姿勢選別装置Ｘは、ワークＷを走行面Ｔ３１から排除する排除部Ｘ２をさらに備え、異常搬送姿勢で搬送されるワークＷのみを排除部Ｘ２によって走行面Ｔ３１から排除し得るように光センサＸ１と排除部Ｘ２とを同期させているため、正常搬送姿勢で搬送されるワークＷのみを次工程へ適切に搬送することができる。
【００３３】
さらに、本実施形態に係る表裏姿勢選別装置Ｘは、光センサＸ１の光照射位置や反射光検知位置を変更可能に構成しているため、ワークＷの形状や種類が種々変わった場合であっても、柔軟に対応することができ、適切な姿勢選別処理を行うことができる。
【００３４】
また、本実施形態に係るパーツフィーダＰは、図１及び図７に示すように、表裏姿勢選別装置Ｘよりもさらに下流側に第２表裏姿勢選別装置Ｙを設けている。第２表裏姿勢選別装置Ｙは、上述した表裏姿勢選別装置Ｘと略同様の原理でワークＷの表裏姿勢を選別するものであり、図７に示すように、異常搬送姿勢（裏向き姿勢）で搬送されるワークＷの角部Ｗ３を走行面の上方から照射可能な照射部及び角部Ｗ３で反射した光を検知可能な反射光検知部として機能する光センサＹ１と、異常搬送姿勢のワークＷを走行面から排除する排除部Ｙ２とを備えたものである。なお、図７では、上述した表裏姿勢選別装置Ｘの各部に相当する部分には対応する符号の先頭にＹを付している。このように、本実施形態に係るパーツフィーダＰは、１つのワークＷに対して複数回の選別機会を与えることが可能になり、選別精度が極めて高いものとなる。本実施形態に係るパーツフィーダＰは、第２表裏姿勢選別装置Ｙを搬送方向に沿って複数（図示例では２つ）設け、これら第２表裏姿勢選別装置Ｙのさらに下流側に排出トラックＴ４を設け、表裏姿勢を揃えたワークＷをこの排出トラックＴ４から次工程へ順次供給することができる。
【００３５】
なお、本発明は上述した実施形態に限定されるものではない。本実施形態に係る姿勢選別装置は、ワーク等の搬送対象物の搬送時に姿勢を整えて次工程へと供給するパーツフィーダ全般に関し、広く適用可能なものである。したがって、直線型の振動パーツフィーダ（リニア型パーツフィーダ）など他の形式や形状のパーツフィーダに対して適用しても上述した種々の効果を奏することができる。
【００３６】
また、姿勢選別装置として、搬送対象物のうち正規の反射領域を走行面に対峙する位置の上方から光線を照射可能な照射部と、反射した光線を検知可能な反射光検知部とをそれぞれ別体のもので構成したものを適用しても構わない。この場合、照射部の配置箇所と反射光検知部の配置箇所とを相互に離間させた位置に設定してもよい。また、照射部や反射光検知部の配置箇所は、走行面と離間して向かい合う位置であればよく、走行面の向き（上向き、斜め上向き、横向き、斜め下向き、下向き）に応じて適宜設定（走行面の上方、斜め上方、側方、斜め下方、下方）することができる。
【００３７】
さらに、上述した実施形態では、表向き姿勢を正常搬送姿勢とし、裏向き姿勢を異常搬送姿勢とし、表裏姿勢選別装置によって正常搬送姿勢の搬送対象物と異常搬送姿勢の搬送対象物とを選別する態様を例示したが、裏向き姿勢を正常搬送姿勢とし、表向き姿勢を異常搬送姿勢とし、表裏姿勢選別装置によって正常搬送姿勢の搬送対象物と異常搬送姿勢の搬送対象物とを選別するようにしてもよい。
【００３８】
また、上述した実施形態では、凹部によって角部を形成した搬送対象物の姿勢を選別する態様を例示したが、本発明の姿勢選別装置は、２つ以上の面によって形成される凸部や凹凸部が正規の反射領域として機能する搬送対象物の姿勢を選別することが可能である。例えば図１１に示すように、何れか１つの面にのみ電極ＷＥ’を保持する保持部Ｗ４’を凸状に形成した搬送対象物Ｗ’であれば、保持部Ｗ４’の基端部に角部Ｗ３’（本発明の「正規の反射領域」に相当）が形成される。このような搬送対象物Ｗ’は、角部Ｗ３’を上方に向けた姿勢（図１１におけるＢ方向矢視図である図１２参照）と、角部Ｗ３’を下方に向けた姿勢（図１１におけるＡ方向矢視図である図１３参照）とでは平面形状が異なる。したがって、図１４及び図１５（前出の図４及び図６に対応させて示す作用説明図）に示すように、角部Ｗ３’を上方に向けた姿勢で搬送される搬送対象物Ｗ’に対して光線を照射した場合と、角部Ｗ３’を下方に向けた姿勢で搬送される搬送対象物Ｗ’に対して光線を照射した場合とでは、反射光量に差異があり、この反射光量の差異或いは有無によって、搬送対象物Ｗ’が正しい搬送姿勢にあるか否かを選別することができる。なお、図１４及び図１５では、図４及び図６で示す各部分と対応する部分に同一符号を付している。
【００３９】
また、図１６に示すように、１つの面が湾曲状に形成され、他の面が平滑な搬送対象物Ｗ’’を用いる場合、湾曲面Ｗ３’’が本発明の「正規の反射領域」に相当する。すなわち、この湾曲面Ｗ３’’に照射部からの光線を照射させた場合の反射の仕方と、平滑面Ｗ４’’に照射部からの光線を照射させた場合の反射の仕方とが異なるものであることに着目し、反射光検知部で反射光を検知するか否か、又は反射検知部で検知したその反射光量によって、搬送対象物Ｗ’’が正常搬送姿勢であるか異常搬送姿勢であるかを選別するように構成することができる。
【００４０】
また、搬送対物の任意箇所に設定されている正規の反射領域は、照射部から照射される光線の向き及び反射光検知部に対して光線を反射させる向きとの関係で搬送対象物の何れかの部位（表面上）に設定されるものであればよく、上述した角部や湾曲面に限られず、平滑面や、搬送対象物の表面（外向き面、内向き面の何れも含む）上の点を正規の反射領域とすることも可能である。また、搬送対象物の１つの面に複数の正規の反射領域が形成されていたり、あるいは搬送対象物の複数面に正規の反射領域が形成されていてもよく（例えばある方向から見た外形状或いは断面形状がＨ形状やＩ形状をなすもの等）、これらの場合においても反射光検知部が反射光を検知するか否か、又は反射光検知部が検知した反射光量によって、搬送対象物が正しい姿勢にあるか否かを選別するように構成すればよい。
【００４１】
また、本発明の姿勢選別装置は、少なくとも任意の１箇所に正規の反射領域を有する搬送対象物の姿勢を選別することが可能であり、表裏姿勢選別にのみ適用可能な装置ではない。つまり、正規の反射領域を有する面が例えば側面である搬送対象物あれば、本発明の姿勢選別装置は、その正規の反射領域を有する側面を上方に向けた姿勢であるか否かを選別することが可能な装置となる。
【００４２】
また、本発明の表裏姿勢選別装置によって、他の搬送対象物に重なった状態で搬送される搬送対象物、すなわち段積み状態で搬送される搬送対象物を、正常搬送姿勢ではないものとして走行面から排除するようにしても構わない。この場合、走行面の上方から搬送対象物の正規の反射領域を照射し得る光線が段積み状態で搬送される搬送対象物で反射し、この反射光を検知することによって、段積み状態で搬送される搬送対象物であると判定し、少なくとも上段側の搬送対象物を排除部によって走行面から排除するようにすればよい。また、搬送対象物としては、ワーク以外のもの、例えばピンセットで辛うじて掴むことが可能な程度の寸法を有する微小部品等が挙げられるが、本発明の姿勢選別装置で選別可能な搬送対象物のサイズや形状は特に限定されるものではない。
【００４３】
その他、各部の具体的構成についても上記実施形態に限られるものではなく、本発明の趣旨を逸脱しない範囲で種々変形が可能である。
【符号の説明】
【００４４】
Ｔ３…トラック（表裏姿勢選別トラック）
Ｔ３１…走行面
Ｐ…パーツフィーダ
Ｗ、Ｗ’、Ｗ’’…搬送対象物（ワーク）
Ｗ３、Ｗ３’、Ｗ３’’…正規の反射領域（角部、湾曲面）
Ｘ…姿勢選別装置（表裏姿勢選別装置）
Ｘ１…照射部，反射光検知部（光センサ）
Ｘ２…排除部
【図１】
2011184160.tif 000003
【図２】
2011184160.tif 000004
【図３】
2011184160.tif 000005
【図４】
2011184160.tif 000006
【図５】
2011184160.tif 000007
【図６】
2011184160.tif 000008
【図７】
2011184160.tif 000009
【図８】
2011184160.tif 000010
【図９】
2011184160.tif 000011
【図１０】
2011184160.tif 000012
【図１１】
2011184160.tif 000013
【図１２】
2011184160.tif 000014
【図１３】
2011184160.tif 000015
【図１４】
2011184160.tif 000016
【図１５】
2011184160.tif 000017
【図１６】
2011184160.tif 000018